(57)【特許請求の範囲】
【請求項１】
正面において四辺形をした本体の左右の辺の中央部に左右外方に向けて継手部を一体に突設して正面太十字型をしたプレキャストブロックを複数並べて構成されるプレキャストブロック構造において、
前記継手部の正面に凹凸を形成し、
且つ前記複数のプレキャストブロックは、前記継手部が上下方向に列をなして配置されるように、上下左右に並べられることを特徴とするプレキャストブロック構造。
【請求項２】
前記継手部の正面を前記本体の正面よりも低い位置に設定して、並べられた左右のプレキャストブロックの間の継手部が溝をなすように構成されたことを特徴とする請求項１記載のプレキャストブロック構造。
【発明の詳細な説明】
【０００１】
【発明の属する技術分野】
この発明は、補強土壁工法のコンクリートスキンや、ブロック積擁壁のブロックなどに用いられるプレキャストブロック構造に関する。
【０００２】
【従来の技術】
従来のこの種のプレキャストブロックとしては図４に記載のものがある。ここに図示した８個のプレキャストブロックは、さらに具体的にはＰＣブロックであり、図示のＰＣブロック１は、補強土壁工法のコンクリートスキンに使用した例の正面図である。各ＰＣブロック１は、正面において四辺形をした本体２と、この本体２の左右の辺の中央部に左右外側に向けて一体に突設された継手部３とからなる。かかるＰＣブロック１の正面は本体２と継手部３とが同一平面をなしている。
【０００３】
そして、上下方向に列をなして並べられた各ＰＣブロック１の左右に、同様に上下方向に列をなして並べられた各ＰＣブロック１が配置されるが、このと左右に隣合うＰＣブロック１は、上下方向に半分の寸法だけ上下にずれて配置されて、左右の各列のＰＣブロック１の継手部３が向き合って相互に凹凸係合するようになっている。したがって、継手部３の上下方向の寸法は、本体２の上下方向の寸法の約半分となっている。この約半分の寸法の意味は、各ＰＣブロック１間の目地の寸法を含めるとちょうど半分になる寸法の意味である。
【０００４】
このようにして多数のＰＣブロック１が一面に並べられ且つ目地４が充填されて、コンクリートスキンが形成されている。
【０００５】
【発明が解決しようとする課題】
しかしながら、前記従来のＰＣブロック１の構造は、本体２と継手部３との正面が同一平面をなし且つ平坦であるために、多数のＰＣブロック１を並べると、各ＰＣブロック１間の目地４が最も目立つものとなる。この目地４は、コンクリートスキン表面に、上下方向には角張って蛇行する連続線になって表れ、且つ水平方向には途切れた水平線になって表れるから、地域住民や付近の通行人に視覚による錯綜感と違和感を与えるという不具合がある。
【０００６】
そこで、この発明の目的は、補強土壁工法のコンクリートスキンや、ブロック積擁壁のブロックなどのように、多数並べられて施工されたプレキャストブロックの景観をよくすることにある。
【０００７】
【課題を解決するための手段】
この発明は、正面において四辺形をした本体の左右の辺の中央部に左右外方に向けて継手部を一体に突設して正面太十字型をしたプレキャストブロックを複数並べて構成されるプレキャストブロック構造であって、前記継手部の正面に凹凸を形成し、且つ前記複数のプレキャストブロックは、前記継手部が上下方向に列をなして配置されるように、上下左右に並べられてなるものである。
太十字型とは、十字をなして交差する各線の幅を大にした形態を称し、別の見方をすれば、四辺形のうち四隅の部分を小さい四辺形で切欠した形態をいう。
【０００８】
これによれば、多数のプレキャストブロックを上下左右に並べて施工したときに、上下のプレキャストブロック間では目地の細い幅での線状の模様しか表れないが、左右のプレキャストブロック間では、継手部の本体からの突設寸法に相当する幅の縦の直線が表れ、この直線には多数の凹凸が形成されるから、この太い直線がよく目につくことになる。すると、縦の目立つ平行な直線と、これら直線の間で縦に連続する本体とによる縦縞模様がコンクリートスキン等の施工面に表れることになって、すっきりした景観となる。
【０００９】
また、前記継手部の正面を前記本体の正面よりも低い位置に設定して、並べられた左右のプレキャストブロックの間の、前記の縦の直線をなす継手部が溝をなすように構成すると好適である。
【００１０】
このようにすることによって、前記の目立つ縦の直線と、プレキャストブロックの本体との間に凹凸が形成され、この凹凸が上下に連続することになるから、外観における縦の線が強調されて景観がよくなる。
【００１１】
さらに、請求項２の発明によれば、前記の縦の直線が溝になって表れるため、この部分が排水溝としての機能を備える。このため、前記の溝を、汚れを伴った水が流下するために、プレキャストブロックの本体が局部的に汚れることが防止される利点もある。
【００１２】
【発明の実施の形態】
図１には、補強土壁工法のコンクリートスキンに使用するプレキャストブロックの一例としてＰＣブロック１が示される。このＰＣブロック１は、正面において四辺形をし且つ全体が均一な厚みをした本体２と、この本体２の左右の辺の中央部に左右外方に向けて一体に突設された継手部３とからなる。
【００１３】
本体２の寸法の一例を挙げれば、幅Ａが１３３５mm、高さＢが１４８０mm、厚さＣが１８０mmで正面において若干縦長の四辺形をなしている。また、継手部３の寸法の一例を挙げれば、本体２の左右の辺に沿う方向の長さＦが７３０mm、本体２の左右の辺からの突出幅Ｄが１９０mmであって、本体２の高さＢ方向の中央に配置され、よって、本体２の左右の辺における継手部３より上の寸法Ｅと同下の寸法Ｇは夫々３７５mmである。これらの寸法は前記の通り一例にすぎないものであるから、本発明はこれらの寸法に限定されるべきものでないことは勿論である。
【００１４】
前記継手部３は背面において本体２の背面と同一平面をなしているが、継手部３の厚さは本体２の厚さＣより小さくなっていて継手部３の正面が本体２の正面よりも低くなっている。その継手部３の正面には凹凸が形成されている。この実施形態における前記凹凸は本体２の左右の辺に沿う方向に山と谷が繰り返し形成されて構成される。
【００１５】
而して、ＰＣブロック１は、本体２と継手部３とで、正面から見ると太十字型をなしている。
かかるＰＣブロック１を同一面上の上下左右に多数並べて補強土壁工法のコンクリートスキンを形成した例が図２に示される。ここでは、継手部３の位置が本体２の左右になり、且つ正面が水平方向又は斜め上方向を向いた姿勢で、各ＰＣブロック１が下から上に順次積み上げられる。
【００１６】
各ＰＣブロック１は上下方向には列をなし、左右方向には隣合うＰＣブロック１どうしが高さ寸法の半分づつずれて配置され、その結果、ＰＣブロック１の上下はＰＣブロック１の本体２どうしが接し、左右は隣接するＰＣブロック１の継手部３が本体２の側面に接する。また左右に隣接するＰＣブロック１どうしは、夫々の継手部３が相互に凹凸係合して、各継手部３が上下方向に列をなして配置される。なお、隣接する各ＰＣブロック１間では、本体２どうしの間と、本体２と継手部３との間と、継手部３どうしの間においては２０mmの目地を介して接する。
【００１７】
なお、図２において符号１ａで示すのはＰＣブロック１の一部の構造を備えたブロックであって、所定の面積のコンクリートスキンの周縁部を構成するために予め成型されたものである。
【００１８】
かくして、コンクリートスキンとしては、図２に示すように、ＰＣブロック１の本体２が上下に直線状に連続する幅広部１０と、継手部３が上下に直線状に連続する幅狭部１１とが形成される。しかも幅狭部１１は長手方向に凹凸が無数に繰り返し形成されおり且つ幅広部１０よりも凹陥して溝が形成されているため、これが視覚的にアクセントとなって、幅広部１０と幅狭部１１とは明確に区別されて全体として幅広部１０と幅狭部１１とが縦縞になって表れる。よって、コンクリートスキンとして、見る者にすっきりした好ましい景観となる。
【００１９】
特に、この実施形態では、幅狭部１１が幅広部１０よりも凹陥しているため、各ＰＣブロック１が水平又は傾斜した面、或いは垂直な面に配置施工される場合でも、この凹陥した幅狭部１１が排水溝として機能することになる。すると、ここを、汚れを伴った水がこれに誘導されて流下するために、ＰＣブロック１の本体２の正面が、汚れを伴う雨水等によって局部的に汚れることが防止される利点もある。一方、幅狭部１１の表面には無数の凹凸が形成されているため、前記汚れのうち雨水等によって流下せずに前記凹凸の凹部に残留する場合があるが、この残留した汚れによって前記幅狭部１１の色あい又は明るさが幅広部１０と相違することになると、前記の視覚的なアクセントが強調されて、幅広部１０と幅狭部１１との区別がさらに明確になって、前記の景観がさらにすぐれたものになる利点がある。
【００２０】
図３はプレキャストブロックの例としての別のＰＣブロック１の形態であって、継手部３の正面に溝を形成することにより凹凸としている。この溝は所定同一間隔で形成されていて、前記幅狭部１１としては、上下方向に多数の溝が同一間隔で表れることになる。他の構成及び作用効果については図１及び図２のものと同一である。
【００２１】
以上、図示の実施形態では、継手部３の正面を本体２の正面より低くしているが、この発明としては継手部３の正面を本体２の正面と同一面にしてもよい。また、図示の実施例では本体２の正面に何らの図柄も形成されてないが、適宜の図柄を設けもよい。さらに、図示の実施例のＰＣブロック１は補強土壁工法のコンクリートスキンに用いるブロックであるが、ブロック積擁壁のブロックに用いるものとすることもできる。この場合には、本体２の背面には四角錐状の突起が一体成型されることは、この種のブロックで周知の通りである。
【００２２】
なお、この発明に用いるプレキャストブロックとして、前記の実施形態ではＰＣブロック１を例示したが、他の材質からなるプレキャストブロックを用いることができるのは勿論である。
【００２３】
【発明の効果】
以上説明したように、この発明にあっては、縦に連続する継手部による縦の目立つ平行な直線と、これら直線の間で縦に連続する本体とによる縦縞模様がコンクリートスキン等の施工面に表れることになって、すっきりした景観となる。
【００２４】
また、請求項２の発明によれば、さらに、前記の目立つ縦の直線と、プレキャストブロックの本体との間に凹凸が形成され、この凹凸が上下に連続することで溝を形成するから、外観における縦の線が強調されて景観がさらによくなる。さらにまた、前記の縦の直線が溝になって表れるため、この部分が排水溝として機能し、この溝を、汚れを伴った水が誘導されて流下するために、プレキャストブロックの本体の正面が汚れを伴う雨水等によって局部的に汚れることが防止される効果もある。
【図面の簡単な説明】
【図１】プレキャストブロックの一実施形態を示す斜視図。
【図２】図１のプレキャストブロックを用いて施工した補強土壁工法のコンクリートスキンの正面図。
【図３】プレキャストブロックの他の実施形態を示す斜視図。
【図４】従来のＰＣブロックを用いて施工したコンクリートスキンの正面図。
【符号の説明】
１        プレキャストブロック（ＰＣブロック）
２        本体
３        継手部
１０      幅広部
１１      幅狭部
【図１】
0003967006.tif 000002
【図２】
0003967006.tif 000003
【図３】
0003967006.tif 000004
【図４】
0003967006.tif 000005